(57)【要約】【課題】大型パネルでありながらコンパクトにして運搬することができ、しかも、運搬のための剛性確保の必要性を低くすることができて軽量にでき、施工を容易に行うことができる天井パネル及びその施工方法等を提供する。【解決手段】複数の単位天井パネル２，２に分割され、これら単位天井パネルがヒンジ５で折り畳み可能に連結され、開いて天井パネル１にすることができるようになされている。単位天井パネル２が二枚で、背面側を向かい合わせるようにして折り畳み可能であり、折り畳み状にしたこの天井パネルをヒンジ側を下、反ヒンジ側を上にするように反ヒンジ側において両単位天井パネルを吊り、この天井パネルを屋外側から建物に吊持搬送し、ヒンジ側を建物に支持させ、各単位天井パネルを両側に開いて施工するのもよい。【選択図】　　　図１
2004124437.tif 000002
【特許請求の範囲】
【請求項１】
複数の単位天井パネルに分割され、これら単位天井パネルがヒンジで折り畳み可能に連結され、開いて天井パネルにすることができるようになされていることを特徴とする天井パネル。
【請求項２】
単位天井パネルが二枚で、背面側を向かい合わせるようにして折り畳み可能である請求項１に記載の天井パネル。
【請求項３】
各単位天井パネルが、天井フレームの下面に予め天井面材を取り付けたものからなる請求項１又は２に記載の天井パネル。
【請求項４】
請求項２又は３のいずれか一に記載の天井パネルを用い、折り畳み状にした天井パネルをヒンジ側を下、反ヒンジ側を上にするように反ヒンジ側において両単位天井パネルを吊り、この天井パネルを建物に吊持搬送し、ヒンジ側を建物に支持させ、各単位天井パネルを両側に開かせることを特徴とする天井パネルの施工方法。
【請求項５】
複数のパネルがヒンジで折り畳み可能に連結され、開いて建築用パネルにすることができるようになされていることを特徴とする建築用パネル。
【請求項６】
建物に水平に設置して用いられる請求項４に記載の建築用パネル。
【発明の詳細な説明】
【０００１】
【発明の属する技術分野】
本発明は、天井パネル及びその施工方法等に関する。
【０００２】
【従来の技術及び課題】
天井の施工に大型の天井パネルを用いる場合、パネルが大型であるため、大型のトラックを使用しなければならず、コストが高くつくという問題がある。
【０００３】
また、パネルが大型化するとパネルの剛性が弱くなり、運搬時の揺れなどに耐えることができるよう剛性確保のための補強を行って置かなければならず、天井パネルの重量が無用に大きなものになってしまう場合があるという問題もある。
【０００４】
更に、天井パネルの大型化は施工を困難なものにしてしまうことがある。特に天井パネルは、建物に水平に設置されるものであり、その傾向が強い。
【０００５】
本発明は、上記のような問題点に鑑み、大型パネルでありながらコンパクトにして運搬することができ、しかも、運搬のための剛性確保の必要性を低くすることができて軽量にすることができ、施工を容易に行うことができる天井パネル及びその施工方法等を提供することを課題とする。
【０００６】
【課題を解決するための手段】
上記の課題は、複数の単位天井パネルに分割され、これら単位天井パネルがヒンジで折り畳み可能に連結され、開いて天井パネルにすることができるようになされていることを特徴とする天井パネルによって解決される。
【０００７】
この天井パネルでは、パネルが大型のものであっても、複数の単位天井パネルを折り畳み状態にすることでコンパクトにすることができるから、運搬が容易であり、しかも、運搬のための剛性確保の必要性を低くすることができて天井パネルの軽量化を実現し、施工を容易に行うことができる。
【０００８】
更に、単位天井パネルを開くだけで大きな天井パネルにすることができ、単位天井パネルのサイズの複数の天井パネルを個々に建物に設置する場合に比べて、施工を能率良く行っていくことができる。
【０００９】
上記の天井パネルにおいて、単位天井パネルが二枚で、背面側を向かい合わせるようにして折り畳み可能である場合は、ヒンジを背面側に備えさせることができ、建物に設置した状態でヒンジが下方に突出してしまうおそれをなくすことができ、仕上げ面となる下面側の施工を容易に行うことができる。
【００１０】
また、各単位天井パネルが、天井フレームの下面に予め天井面材を取り付けたものからなる場合は、天井面材の取付けのための厄介な上向き作業をなくすあるいは少なくすることができて、現場作業の省力化を実現することができる。
【００１１】
また、単位天井パネルが二枚で、背面側を向かい合わせるようにして折り畳み可能である天井天井パネル、あるいは、この天井パネルにおいて各単位天井パネルが天井フレームの下面に予め天井面材を取り付けたものからなる場合において、折り畳み状にしたこの天井パネルをヒンジ側を下、反ヒンジ側を上にするように反ヒンジ側において両単位天井パネルを吊り、この天井パネルを建物に吊持搬送し、ヒンジ側を建物に支持させ、各単位天井パネルを両側に開かせるようにして施工を行うとよい。建物への吊持搬送は建物内部から行うようにしてもよいし、建物の外から行うようにしてもよい。
【００１２】
この場合は、建物への天井パネルの搬送をスペースをとらずに行っていくことができ、しかも、自重を利用して各単位天井パネルを開かせていくことができて、建物への天井パネルの設置を容易に行っていくことができる。
【００１３】
また、上記の課題は、複数のパネルがヒンジで折り畳み可能に連結され、開いて建築用パネルにすることができるようになされている建築用パネルによって解決される。即ち、本発明のパネルは、必ずしも天井パネルに限られるものではなく、建物に用いられる各種パネルに適用することができ、それによって、大型パネルでありながらコンパクトにして運搬することができ、しかも、運搬のための剛性確保の必要性を低くすることができて軽量にすることができ、施工を容易に行うことができる。
【００１４】
特に建物に水平に設置して用いられる建築用パネルである場合には、折り畳み状態にして、水平にすることで、あるいは、傾斜させたり垂直にすることで建物における設置場所への搬送を容易に行っていくことができる。
【００１５】
【発明の実施の形態】
次に、本発明の実施形態を図面に基づいて説明する。
【００１６】
図１に示す実施形態の天井パネル１は、幅寸法が例えば９００ｍｍ、長さ寸法が例えば２７００ｍｍの大型パネルからなっており、二つの単位天井パネル２，２で構成されている。
【００１７】
各単位天井パネル２は、野縁受け３ａ…と野縁３ｂ…を格子状に組んだ天井フレーム３と、その下面側に予め取り付けられたプラスターボード、石膏ボードなどによる天井面材４とで構成されている。そして、これら単位天井パネル２，２は、野縁受け３ａ…の端部を突き合わせるようにして、これら端部同士が天井パネル１の背面側においてヒンジ５で連結され、それにより、天井パネル１は、単位天井パネル２，２の背面側を向き合わせるようにして折り畳むことができ、開いて天井パネルにすることができるようになされている。
【００１８】
上記の天井パネル１は、図２に示すように折り畳んでコンパクトにした状態で工場から建築現場に運搬していくことができるため、運搬が容易であり、また、運搬のための剛性確保の必要性もないので天井パネル１は軽量であり、施工を容易に行うことができる。なお、運搬は、トラックなどの荷置きスペースとの関係で、横たえた状態にして行ってもよいし、立てた状態にして行ってもよく、いずれの場合も、コンパクトに積んで運搬していくことができる。更に、単位天井パネル２，２を開くだけで大きな天井パネル１にすることができ、単位天井パネル２，２を個別に建物に設置していく場合に比べて、施工を能率良く行っていくことができる。
【００１９】
施工は、図３（イ）に示すように、折り畳み状態にした天井パネル１をヒンジ５の側を下、反ヒンジ側を上にするように反ヒンジ側において両単位天井パネル２，２をクレーンなどで吊って若干開いた状態にし、この天井パネル１を建物に吊持搬送していく。折り畳んでコンパクトにした天井パネル１を縦にして搬送していくので、設置場所への天井パネル１の搬送にスペースを要さず搬送をスムーズに行っていくことができる。そして、図３（ロ）に示すように、ヒンジ５側を建物の梁や桁６に支持させ、図３（ハ）に示すように各単位天井パネル２，２を両側に開いていき、図４（ニ）に示すように、各単位天井パネル２，２の外方端の側を梁や桁６に支持させる。天井パネル１は、各単位天井パネル２，２の自重で開いていき、折り畳み状態の天井パネル１を容易に開かせることができる。もちろん完全な折り畳み状態にして搬送してもよく、その場合は、両単位天井パネル２，２を少し開いた状態にすることで、あとは、自重によって自ら開いていこうとする。そののち、天井パネル１の高さ位置の調整と固定を行い、図４（ホ）に示すように、単位天井パネル２の天井面材４，４間に現場貼りで天井面材４を取り付ける。天井面材４の現場貼り作業において、ヒンジ５がその妨げとなることはない。こうして、建物に天井が形成される。なお、建物への施工後は、ヒンジ５は、そのままにしておいてもよいし、必要に応じて取り外してもよい。
【００２０】
図５に示す施工方法は、同図（イ）に示すように、折り畳み状態にした天井パネル１を建物に水平状態に設置し、しかる後、同図（ロ）に示すように、上側の単位天井パネル２を１８０°回転させて開いた状態にするものである。建物への折り畳み天井パネル１の搬送は、天井パネル１を垂直に立てて行ってもよいし、水平にして行ってもよい。水平にして搬送する場合であっても、天井パネル１は折り畳み状態となって水平方向にコンパクトであるので、建物への搬送を容易に行うことができる。
【００２１】
以上に、本発明の実施形態を示したが、本発明はこれに限られるものではなく、発明思想を逸脱しない範囲で、各種の変更が可能である。例えば、上記の実施形態では、天井パネル１として、天井フレーム３と天井面材４とが備えられたものを用いているが、天井面材４の備えられていない天井フレーム３を天井パネルとしてもよい。また、本発明は、天井に限らず、水平設置型などの各種建築用パネルに広く用いることができるものである。
【００２２】
【発明の効果】
本発明は、以上のとおりのものであるから、大型パネルでありながらコンパクトにして運搬することができ、しかも、運搬のための剛性確保の必要性を低くすることができて軽量にすることができ、施工を容易に行うことができる。
【図面の簡単な説明】
【図１】実施形態の天井パネルを示すもので、図（イ）は背面図、図（ロ）は正面図である。
【図２】運搬時の天井パネルを示す正面図である。
【図３】図（イ）乃至図（ハ）は、図４（ニ）（ホ）と共に、建物への施工方法の一例を順次に示す正面図である。
【図４】図（ニ）及び図（ホ）は、図３（イ）乃至（ハ）と共に、建物への設置方法を順次に示す正面図である。
【図５】図（イ）及び図（ロ）は建物への施工方法の他の一例を順次に示す正面図である。
【符号の説明】
１…天井パネル
２…単位天井パネル
３…天井フレーム
４…天井面材
５…ヒンジ
６…梁、桁（建物）
【図１】
2004124437.tif 000003
【図２】
2004124437.tif 000004
【図３】
2004124437.tif 000005
【図４】
2004124437.tif 000006
【図５】
2004124437.tif 000007